(57)【要約】【課題】比較的簡単な構造にして照明器具をリフトでき、照明器具のリフト位置への設定が円滑に行える水槽用照明器具のリフト機構を提供する。【解決手段】照明器具１の長さ方向の両端側の側板部材１１２，１２６に、下端に前記水槽２の上端２ａ，２ｂに載置される台座８１１を有し、上下方向へスライド可能な支持脚体８１を配設し、前記側板部材１１２，１２６に前記支持脚体８１のガイド部８２を形成し、前記支持脚体８１と前記側板部材１１２（１２６）との間に、該支持脚体８１に対して上方への押し込みによる格納位置ならびに所定高さのリフト位置に対応する引き出し突出位置で係合ロックするロック手段８３（８５）（８６）と、ロック状態を解除するロック解除手段８４（８５０ａ）（８６０ａ）とを配備する。【選択図】      図７
2006191889.tif 000002
【特許請求の範囲】
【請求項１】
鑑賞用水槽の開口端部に載置される照明器具を該水槽上に所定リフト位置で支持可能な水槽用照明器具のリフト機構において、
前記照明器具における器具本体の両端部にそれぞれ配備された側板部材と、
下端に前記水槽の上端に載置される台座を有し、前記側板部材に沿って上下方向へスライド可能に配設された支持脚体と、
前記側板部材に形成されて、前記支持脚体のスライド変移をガイドするガイド部と、
前記支持脚体と前記側板部材との間に設けられて、該支持脚体に対して上方へ押し込んだ格納位置ならびに所定高さのリフト位置に対応する下方への引き出し突出位置で係合ロックするロック手段と、
前記ロック手段によるロック状態を解除するロック解除手段と、
を備えていることを特徴とする水槽用照明器具のリフト機構。
【請求項２】
前記支持脚体が前記側板部材の内面に沿って配設されてなる請求項１に記載の水槽用照明器具のリフト機構。
【請求項３】
前記所定高さのリフト位置とは、最大リフト位置を含む複数のリフト位置である請求項１または２に記載の水槽用照明器具のリフト機構。
【発明の詳細な説明】
【技術分野】
【０００１】
この発明は、熱帯魚などの飼育に使用される鑑賞用水槽の照明器具を該水槽上の所定リフト位置に支持させるための水槽用照明器具のリフト機構に関する。
【背景技術】
【０００２】
熱帯魚などを飼育する場合、夏期などに水槽内の水温が高くなると、鑑賞魚などに悪影響を及ぼすことがある。このため、一般に、前記水槽の上端に載置されている照明器具を所定高さまでリフトさせて気化熱を逃がしやすくさせることが行われている。照明器具を水面からリフトさせて、餌を与えやすくさせる場合も、この方法が採用されている。
【０００３】
この照明器具をリフトさせるために、一般には、照明器具の左右両端部と前記水槽の左右両端の上端縁部との間にそれぞれ介在されるリフト用具を使用している。
【０００４】
リフト用具としては、例えば上端部に前記照明器具の下面側を係止する係止部が形成され、下端部に前記水槽の上端部を厚さ方向から挟んでねじで締め着ける挟着部が形成されたものが多い。
【０００５】
このリフト用具を使用すれば、前記照明器具を水槽の上端から該リフト用具の略高さ分だけ高い位置にリフトさせて支持することができる。しかし、照明器具とは別にリフト用具を用意しなければならないうえ、そのリフト用具の取り付けも面倒である。
【０００６】
このため、従来より、例えば上向きコ字形の左右一対の支柱部材の各基端部をそれぞれ回動可能に枢支した取り付け部材を前記水槽の左右上端縁部に対してそれぞれ固定し、各支柱部材に常時起立する方向への復帰ばね力を付勢するばね部材を該支柱部材の先端部と前記取り付け部材との間に設け、他方、前記照明器具の底面側に、左右方向へ延びて前記支柱部材の先端部をスライド可能に嵌合するガイド溝を形成し、照明器具を持ち上げると、前記一対の支柱部材がばね力で起立して、照明器具を当該支柱部材によりリフトさせて支持するように構成したものが知られている（例えば、特許文献１参照）。
【特許文献１】特開平８−２９８８９５号公報
【発明の開示】
【発明が解決しようとする課題】
【０００７】
しかし、従来のものは、左右の一対のコ字形支柱部材を回動可能に支持し、これら支柱部材にばね力を付勢するばね部材を設けるなど、構造が比較的煩雑である。
【０００８】
とくに、照明器具のリフト動作が支柱部材の回動変移と、該支柱部材の先端の左右方向のスライド動作との協動で達成されるので、慎重に操作しないと、照明器具のリフト時に動作不良が起きやすいという問題がある。
【０００９】
この発明は、上記実情に鑑みてなされたものであり、比較的簡単な構造にして照明器具をリフトでき、照明器具のリフト位置への設定が円滑に行える水槽用照明器具のリフト機構を提供することを課題とする。
【課題を解決するための手段】
【００１０】
上記課題は以下の手段によって解決される。
【００１１】
［１］  鑑賞用水槽の開口端部に載置される照明器具を該水槽上に所定リフト位置で支持可能な水槽用照明器具のリフト機構において、前記照明器具における器具本体の両端部にそれぞれ配備された側板部材と、下端に前記水槽の上端に載置される台座を有し、前記側板部材に沿って上下方向へスライド可能に配設された支持脚体と、前記側板部材に形成されて、前記支持脚体のスライド変移をガイドするガイド部と、前記支持脚体と前記側板部材との間に設けられて、該支持脚体に対して上方へ押し込んだ格納位置ならびに所定高さのリフト位置に対応する下方への引き出し突出位置で係合ロックするロック手段と、前記ロック手段によるロック状態を解除するロック解除手段とを備えていることを特徴とする水槽用照明器具のリフト機構。
【００１２】
［２］  前記支持脚体が前記側板部材の内面に沿って配設されてなる前項（１）に記載の水槽用照明器具のリフト機構。
【００１３】
［３］  前記所定高さのリフト位置とは、最大リフト位置を含む複数のリフト位置である前項（１）または（２）に記載の水槽用照明器具のリフト機構。
【発明の効果】
【００１４】
前項［１］に記載の発明によれば、支持脚体を上方へ押し込み操作すれば、格納位置に設定され、この時、前記ロック手段により格納位置における支持脚体が、その位置に保持されるようにロックされ、また、その格納位置から支持脚体を下方へ引き出し操作し、所定高さのリフト位置に対応する引き出し突出位置に設定すれば、前記ロック手段により突出位置における支持脚体が、その位置にロックされ、また、例えば所定リフト位置に対応する引き出し位置からロック解除手段でロックを解除し、前記支持脚体を上方へ押し込み操作すれば、該支持脚体が格納位置に格納される。
【００１５】
この支持脚体を突出位置に設定した状態では、該支持脚体の台座を水槽の上端に載置すれば、前記照明器具を前記支持脚体の突出量に対応する高さ位置にリフトさせて支持でき、これにより夏期などの水温上昇に対処できることになる。
【００１６】
ここで、前記リフト機構がケーングの側板部材に設けてあるから、別途、リフト用具を用意する必要がなくなり、そのリフト用具を組み付けるような手間が省ける。
【００１７】
とくに、支持脚体を前記側板部材に沿ってスライド可能に配設してあるので、該支持脚体の押し込みおよび引き出し操作時のスライド動作が円滑に行われて、故障が起きにくく、使いやすい。
【００１８】
前項［２］に記載の発明によれば、支持脚体が側板部材の内面側に配設されているので、運搬時などに照明器具を包装したり、梱包する際に、支持脚体が邪魔にならず、扱いやすい。更に支持脚体を収納した際に、支持脚体が照明器具内に配置されて外部に露呈しないので、良好な美観を得ることができる。
【００１９】
前項［３］に記載の発明によれば、支持脚体の引き出し位置を選択することにより、照明器具のリフト位置を複数位置のいずれかに変更できる。
【発明を実施するための最良の形態】
【００２０】
以下、この発明の実施形態を図面に基づいて説明する。
【００２１】
図１は、この発明の実施形態にかかるリフト機構が適用された水槽用照明器具示す斜視図、図２は、同じく照明器具のリフト状態で示す斜視図、図３は、同じく照明器具を２つ折り状態で示す斜視図、図４は、同じく照明器具をガラス板を省いて示す底面図である。
【００２２】
図１〜図４において、この照明器具１は、水槽２における左右両開口端部２ａ，２ｂに跨がって設置されるようになっている。３は、水槽２の開口を被うガラスなどの透明板である。
【００２３】
この照明器具１は、器具本体１０と、枢支連結部２０と、ねじ止め部３０と、リフト機構８とを備えている。
【００２４】
前記器具本体１０は、その長さ方向（左右方向）の略中央で分割されて、２つの器具半体１１，１２から構成されており、これら両器具半体１１，１２は、互いに枢支・連結部２０により連結されて、図１に示す直線状の展開状態と、図３に示す２つ折り状態とに転換可能になっている。照明器具本体１０を２分割構成としたのは、運送時などの梱包などをコンパクトにさせるためであり、分割する構成にはこだわらない。
【００２５】
前記器具半体１１，１２は、それぞれ下壁面および左右両側面が開放された箱形のケーシング１１Ａ，１２Ａを有し、これらケーシング１１Ａ，１２Ａの各後面は、略垂直面で構成されており、図３に示すように２つ折りにした際に、２つの器具本体１１，１２が密着して配置できるように構成されている。
【００２６】
さらに、ケーシング１１Ａ，１２Ａの各下側開放面は、ケーシング１１Ａ，１２Ａの長手方向へ沿って形成された前後一対の溝条（図示せず）にスライド可能に嵌挿されたガラス板などからなる透明板（図示せず）によりそれぞれ閉塞されている。
【００２７】
なお、前記ケーシング１１Ａ，１２Ａは、合成樹脂により成形されているが、その構成材は、合成樹脂に限らない。
【００２８】
前記一方（図１の左側）のケーシング１１Ａの左側開放面は、縁枠部１１２ａが一体形成された合成樹脂製の側板部材１１２とその内側の仕切板（図示せず）により閉塞されている。
【００２９】
前記一方のケーシング１１Ａの右側開放面は、他方（図１の右側）のケーシング１２Ａとの合わせ面として、図５に示すような縁枠部１１３ａが一体形成された側板部材１１３により閉塞されており、この側板部材１１３は、複数のねじ１１４などによりケーシング１１Ａに対して固定されている。
【００３０】
なお、この側板部材１１３の下部は、ねじ１１５により前記ケーシング１１Ａに固定されるＬ形部材１１６により、前記固定状態が堅固に保持されている。またこのＬ形部材１１６は、上記ケーシングの下側開放面を閉塞する透明板を固定する部材も兼用している。
【００３１】
他方のケーシング１２Ａの左側開放面は、ケーシング１１Ａとの合わせ面として、図５に示すような縁枠部１２２ａが一体形成された側板部材１２２により閉塞されており、この側板部材１２２は、複数のねじ１２３などによりケーシング１２Ａに対して固定されている。
【００３２】
また、前記ケーシング１２Ａの右側開放面は、縁枠部１２６ａが一体形成された側板部材１２６とその内側の仕切板（図示せず）により閉塞されている。
【００３３】
前記一方のケーシング１１Ａにおける側板部材１１３と他方のケーシング１２Ａにおける側板部材１２２とは、例えば図５に示すように、後壁寄りに位置して設けられた枢支・連結部としての蝶番２０により、水平面内に沿って回動可能に連結されており、これにより、前記器具半体１１，１２が直線状の展開状態と２つ折り状態とを任意に選択して設定可能である。
【００３４】
前記蝶番２０は、具体的には、図５に示すように、前記一方のケーシング１１Ａの側板部材１１３の後壁側に位置して一体に形成された支軸部２０１と、他方のケーシング１２Ａ側の側板部材１２２の後壁側に一体形成されて、前記支軸部２０１に嵌合される横断面Ｃ字形の無理嵌めヒンジ部２８２とから構成されている。
【００３５】
勿論、前記蝶番２０は、この例のものに限定されるものではなく、例えば別体に用意された蝶番部材を使用してもよい。
【００３６】
一方のケーシング１１Ａにおける側板部材１１３の周縁には、図５に示すように、環状の嵌合凸部１１７が一体形成されており、他方のケーシング１２Ａにおける側板部材１２２の周縁には、展開状態で前記嵌合凸部１１７に嵌合される環状の嵌合凹部１２４が形成されている。
【００３７】
なお、前記一方のケーシング１１Ａにおける側板部材１１３と他方のケーシング１２Ａにおける側板部材１２２とには、前記蝶番２０の形成位置から離間した前寄りに位置して、展開状態保持用のねじ止め部３０が配備されている。
【００３８】
このねじ止め部３０は、例えば一方のケーシング１１Ａにおける側板部材１１３の底壁に形成された雌ねじ部３０１と、他方のケーシング１２Ａにおける側板部材１２２の底壁に形成されたねじ挿通孔３０２と、ねじ挿通孔３０２を挿通して雌ねじ部３０１に螺入されるねじ３０３とからなる。
【００３９】
一方のケーシング１１Ａ内には、図４に示すように、長手方向の両端部位に位置して光源用ソケット部４１，４２がそれぞれ中央向きの姿勢で設けられており、これらソケット部４１，４２には、光源の一例としてのＵ字形の蛍光灯５１，５２がそれぞれ装着されている。
【００４０】
また、他方のケーシング１２Ａ内にも、長手方向の両端部位に位置して光源用ソケット部４３，４４がそれぞれ中央向きの姿勢で設けられており、これらソケット部４３，４４には、光源の一例としてのＵ字形の蛍光灯５３，５４がそれぞれ装着されている。
【００４１】
なお、前記蛍光灯５１〜５４は、電力消費の低減化のためにインバータ制御回路（図示せず）により点灯制御されるようになっている。
【００４２】
また、前記ケーシング１１Ａ，１２Ａの内部には、図４に示すように、蛍光灯５１〜５４からの光を下方に向けて反射する屋根形反射板６１，６２がそれぞれ配置されている。
【００４３】
前記一方のケーシング１１Ａにおける左側板部材１１２からは、交流電源に接続されるプラグ付き電源コード５が引き出されている。また、前記蛍光灯５１〜５４に電力供給する給電線（図５）６は、他方のケーシング１２Ａの反射板６１の裏側を通り、前記側板部材１２２に形成されたコード挿通孔１２２ｂを抜けて、一方のケーシング１１Ａにおける側板部材１１３に形成されたコード挿通孔１１３ｂから内部に入り、前記反射板６２の裏側を通り、前記プラグ付き電源コード５に電気的に接続されており、これにより、全部の蛍光灯５１〜５４を同時に点灯することができるようになっている。
【００４４】
なお、前記一方のケーシング１１Ａにおける側板部材１１２には、全部の蛍光灯５１〜５４に対してＯＮ／ＯＦＦ操作するために電源スイッチ５０が設けられている。
【００４５】
前記リフト機構８は、器具本体１０の長手方向の両端部、つまり一方の器具半体１１の左側の側板部材１１２ならびに他方の器具半体１２の右側の側板部材１２６にそれぞれ配備されており、それぞれ同一の構成であるので、以下では、一方の器具半体１１の左側の側板部材１１２に配備されたリフト機構８を代表して図６〜図９に基づいて説明する。
【００４６】
このリフト機構８は、支持脚体８１と、支持脚体ガイド部としての溝条部８２と、支持脚８１に対するロック部８３と、ロック解除部８４とを備えている。
【００４７】
前記支持脚体８１は、合成樹脂などで板形に成形されており、前記側板部材１１２の内面側に当接して上昇位置と下降位置との間で上下方向へ変移可能に配設されており、その下端には、前記水槽２の上端縁部２ａ（２ｂ）に載置される横長の台座８１１が形成されている。この台座８１１の下部外端には、下方へ突出して横ずれ時に水槽２の上端縁部２ａ（２ｂ）から離脱するのを防止する規制壁部８１１ａが一体形成されている。
【００４８】
また、前記側板部材１１２における縁枠部１１２ａの下面には、前記支持脚体８１が上昇した位置で前記台座８１１が格納される格納部１１２ｂが形成されている。
【００４９】
更に支持脚体８１を側板部材１１２の内面側に配設しているため、支持脚体８１を収納した際に、支持脚体８１が照明器具内に配置されて外部に露呈しないので、良好な美観を得ることができる。
【００５０】
なお、前記支持脚体８１は、前記側板部材１１２の外面側に配設してもよいが、この例のように側板部材１１２の外面側に配設してあると、照明器具１２を運送や保管のために包装したり、梱包したりする際に支持脚体８１が邪魔にならず、扱いやすくなる。
【００５１】
前記ガイド用溝条部８２は、前記側板部材１１２の内面側に所定間隔存して対向して設けられた横断面逆Ｌ形の一対の立壁８２１，８２１の各対向内面で構成されており、前記支持脚体８１の上記スライド変移をガイドするようになっている。
【００５２】
前記ロック部８３は、図９に示すように、前記支持脚体８１に逆Ｕ字形に切り込み形成されて、上端に角形の係止頭部８３１ａが一体形成された弾性係止片８３１と、前記ガイド用溝条部８２，８２間に位置して前記側板部材１１２に形成された上部係合孔８３２と、上部係合孔８３２の真下に位置して前記側板部材１１２に形成された下部係合孔８３３とを備えている。
【００５３】
前記上部係合孔８３２は、前記支持脚体８１を上方向へ押し込み操作した際の格納位置で前記弾性係止片８３１の係止頭部８３１ａに係合してロックし、下部係合孔８３３は、格納位置から支持脚体を下方へ引き出し操作し、所定高さのリフト位置に対応する引き出し突出位置に設定した際に、前記弾性係止片８３１の係止頭部８３１ａに係合してロックするようになっている。
【００５４】
前記ロック解除部８４は、前記弾性係止片８１に一体形成された押し込み用の突部からなり、支持脚体８１をスライド変移させる際に、押し込み操作によって前記弾性係止片８１を弾性力に抗して内方へ弾性変形させて、係止頭部８３１ａの前記上部係合孔８３２または下部係合孔８３３への係合状態を解除するものである。
【００５５】
なお、上部係合部８３２と下部係合部８３３との間は、前記ロック解除部を構成する突部８４を押し込み操作してロックを解除し、前記支持脚体８１をスライド変移させる際に、前記該突部８４の通過を許容するスリット８３４により連通されている。
【００５６】
つぎに、上記構成の水槽用照明器具１の使用手順を説明する。
【００５７】
例えばメーカが店舗などに向けて照明器具１を水槽２とセットにして配送する際には、上記器具半体１１，１２を  図３に示すように２つ折り状態にしておけば、全体がコンパクトに梱包できる。
【００５８】
また、水槽２を店舗で展示したり、実際に使用する場合には、２つ折り状態の割器具半体１１，１２を蝶番２０を支点にして回動し、図１に示すように、直線状に展開する。
【００５９】
さらに、一方の器具半体１１のケーシング１１Ａと他方の器具半体１２のケーシング１２Ａとの結合部位におけるねじ３０３をねじ挿通孔３０２を挿通させてから雌ねじ部３０１に螺入させ、この状態で前記水槽２の上端に載置すればよい。
【００６０】
前記器具半体１１，１２を展開した状態では、前記器具半体１１のケーシング１１Ａ側の環状嵌合凸部１１７と前記器具半体１２のケーシング１２Ａ側の環状の嵌合凹部１２４とが嵌合するから、上記展開状態の腰砕けが防止され、安定状態で設置することができる。
【００６１】
さらに、この展開状態で前記ねじ３０３により前記ケーシング１１Ａとケーシング１２Ａとの結合部位を固定してあるから、前記展開状態が一層堅固に保持される。
【００６２】
そして、照明器具１０を使用するには、前記電源コード５を電源に接続するだけで、蛍光灯火５１〜５４に対する電力が一斉に供給される。
【００６３】
また、夏場などに水温が上昇した際には、前記器具本体１０の左右両方のリフト機構８，８を使って照明器具１を上昇させる。
【００６４】
通常は、前記支持脚体８１を上方へ押し込み操作することにより、弾性係止片８３１の先端の係止頭部８３１ａが上部係合孔８３２に係合されている。この時、支持脚体８１の下端の台座８１１は、側板部材１１２の格納凹所１１２ｂに格納されている。
【００６５】
前記照明器具１を上昇させるにあたっては、前記支持脚体８１を下方へ引き出す。まず、前記係止頭部８３１ａを内方へ押し込むと、この係止頭部８４の係合孔８３２に対する係合が解除、つまり支持脚体８１の上昇位置でのロック解除される。
【００６６】
この状態で前記支持脚体８１を下方へ引き出し操作すれば、該支持脚体８１がガイド用溝条８２，８２に沿って下降し、側板部材１１２から下方へ引き出され、所定の高さ位置に対応する引き出し位置で前記弾性係止片８３１の係止頭部８３１ａが前記下部係合孔８３３に係合してロックされる。
【００６７】
この状態で、前記支持脚体８１の下端の台座８１１を前記水槽２の上端縁部２ａ，２ｂに載置する。これにより、前記照明器具１を支持脚体８１の引き出し量に対応する高さ分だけ水槽２上にリフトした位置に支持でき、これにより水面上の空間が外部に開放されて通気性が向上するため、水温の上昇を最小限に抑えることができる。
【００６８】
このように、照明器具１を支持する支持脚体８１をもったリフト機構８を該照明器具１における側板部材１１２（１２６）に装備させたので、別途、リフト部材をする必要がなく、取り付ける手間も不要となり、手軽に照明器具１を水槽２上にリフトさせて支持することができる。
【００６９】
また、側板部材１１２（１２６）の支持脚体８１を保持させるとともに、支持脚体８１の所定スライド位置でロックさせるだけの簡単な構成により、構造も簡素なものとなり、故障なども起こりにくいという利点もある。
【００７０】
図１０および図１１は、前記リフト機構８の変形例を示す。
【００７１】
図１０および図１１において、前記支持脚体８１には、その上端部の幅方向両側端面に、先端に係止爪８５０ａを有し、該幅方向外方への弾性力も持った一対の弾性係止片８５０、８５０が一体形成される一方、前記側面部材１１２における内部側の左右凸段部８５１，８５１の各対向端面に、一対の上部係合孔８５２，８５２および下部係合孔８５３，８５３を形成したものであり、これら弾性係止片８５０ならびに上部および下部係合部８５２，８５３によるロック部８５が構成される一方、、前記押し込み操作可能な係止爪８５０ａによりロック解除部が構成されている。
【００７２】
この場合、前記支持脚体８１に対して上方へ押し上げ操作して格納した際に、前記係合爪８５０ａ，８５０ａが上部係合孔８５２，８５２にそれぞれ係合して、その格納状態がロックされる。
【００７３】
また、前記支持脚体８１を側面部材１１２から下方へ引き出操作した位置では、前記係合爪８５０ａ，８５０ａが下部係合孔８５３，８５３にそれぞれ係合して、その状態がロックされる。そして、この状態では、前記支持脚体８１を引き出し量に対応した高さ分だけ照明器具１を水槽２の上端から高い位置に支持させることができる。
【００７４】
なお、前記支持脚体８１を格納する場合には、前記一対の係合爪８５０ａ，８５０ａを弾性係止片８５０，８５０の弾性力に抗して互いに接近する方向へ押し込み操作しながら支持脚体８１を上方へ押し込み操作すれば、前記係合爪８５０ａが下部係合孔８５３，８５３から離脱してロック解除となる。
【００７５】
図１２および図１３は、前記リフト機構８の別の変形例を示す。
【００７６】
図１２および図１３において、支持脚体８１には、先端部表面に係止突部８６０ａを有し、前記器具半体１１の側面部材１１２の表裏方向で弾性変形可能な板状の弾性係止片８６０が形成される一方、前記側面部材１１２には、上部係合孔８６１と、下部係合孔８６３と、これら上部係合孔８６１と下部係合孔８６３との略中間に位置する中間係合孔８６２が形成されており、前記弾性係止片８６０ならびに上部および下部係合孔８６１〜８６３によりロック部８６が構成される一方、前記係止突部８６０ａによるロック解除部が構成されている。
【００７７】
前記支持脚体８１を側面部材１１２から下方へ引き出した位置では、前記係合突部８６０ａが下部係合孔８６３に係合して、その状態がロックされる。そして、この状態では、前記支持脚体８１を引き出し量に対応する高さ分だけ照明器具１を水槽２の上端からリフトした位置に支持させることができる。
【００７８】
また、前記係合突部８６０ａを中間係合孔８６２に係合させれば、照明器具１を水槽２の上記最上の高さ位置よりも低い中間位置に支持させることができる。つまり、複数の高さ位置から任意の位置を選択して照明器具１を設定することができる。
【００７９】
なお、この場合も、前記係止突部８６０ａを弾性係止片８６０の弾性力に抗して押し込み操作しながら支持脚体８１を上方へ押し込み操作すれば、前記係合突部８６１ａが下部係合孔８６３から離脱して前記支持脚体８１を格納部１１２ｂに格納できる。
【図面の簡単な説明】
【００８０】
【図１】この発明の実施形態にかかる水槽用照明器具を展開状態で示す斜視図である。
【図２】同じく照明器具を所定高さまでリフトさせた状態で示す斜視図である。
【図３】同じく照明器具を２つ折り状態で示す斜視図である。
【図４】同じく照明器具をガラスを省略して示す底面図である。
【図５】同じく照明器具の分割半体同志の枢支結合部位周辺を示す斜視図である。
【図６】同じく照明器具のリフト機構を示す外観斜視図である。
【図７】同じく照明器具のリフト機構を示す分解斜視図である。
【図８】同じくリフト機構における要部の斜視図である。
【図９】同じくリフト機構における要部の縦断面図である。
【図１０】リフト機構の変形例を示す外観斜視図である。
【図１１】図１０のリフト機構を示す分解斜視図である。
【図１２】リフト機構の別の変形例を示す外観斜視図である。
【図１３】図１２のリフト機構を示す分解斜視図である。
【符号の説明】
【００８１】
１・・・・・・・・・・・・・・照明器具
２・・・・・・・・・・・・・・鑑賞用水槽
２ａ，２ｂ・・・・・・・・・・水槽の開口端部
８・・・・・・・・・・・・・・リフト機構
１１・・・・・・・・・・・・・・器具本体
８１・・・・・・・・・・・・・支持脚体
８２，８２・・・・・・・・・・ガイド部
８３，８５，８６・・・・・・・ロック部
８４，８５０ａ，８６０ａ・・・ロック解除部
１１２，１２６・・・・・・・・側板部材
【図１】
2006191889.tif 000003
【図２】
2006191889.tif 000004
【図３】
2006191889.tif 000005
【図４】
2006191889.tif 000006
【図５】
2006191889.tif 000007
【図６】
2006191889.tif 000008
【図７】
2006191889.tif 000009
【図８】
2006191889.tif 000010
【図９】
2006191889.tif 000011
【図１０】
2006191889.tif 000012
【図１１】
2006191889.tif 000013
【図１２】
2006191889.tif 000014
【図１３】
2006191889.tif 000015